(57)【特許請求の範囲】
【請求項１】
複数のユーザ光終端装置（１８ａ−１〜１８ａ−ｎ）に光伝送路（１４ａ，１６ａ）を介して通信する現用光終端ユニットであって、当該複数のユーザ光終端装置の管理情報を記憶する管理情報記憶装置（５４）を具備する現用光終端ユニット（１０ａ）と、
当該現用光終端ユニット（１０ａ）から転送される当該管理情報を記憶可能な記憶装置（５４）を具備する予備光終端ユニット（１０ｄ）と、
当該現用光終端ユニット（１０ａ）の当該光伝送路に向け出力する光信号パワーをモニタする光パワーモニタ（２６）と、
当該現用光終端ユニットからの異常発生の警告及び当該光パワーモニタ（２６）のモニタ結果の何れかに従い、当該現用光終端ユニット（１０ａ）から当該予備光終端ユニット（１０ｄ）への切り替えを制御する制御装置（１２）であって、当該現用光終端ユニット（１０ａ）の障害発生時を含む所定のタイミングで、当該管理情報記憶装置に記憶される当該管理情報を当該予備光終端ユニット（１０ｄ）の当該記憶装置に転送する制御手段と、
当該制御装置（１２）により制御されて、当該予備光終端ユニット（１０ｄ）の光入出力ポートを当該光伝送路に選択的に接続する第１スイッチ（２０）であって、当該予備光終端ユニット（１０ｄ）の待機時に接続して当該予備光終端ユニット（１０ｄ）の信号光出力を無反射終端する接点（２２ｄ）を具備する第１スイッチ
とを具備し、
当該予備光終端ユニット（１０ｄ）は電源投入状態で待機する
ことを特徴とする光終端システム。
【請求項２】
当該制御装置（１２）が、当該現用光終端ユニット（１０ａ）から予備光終端ユニット（１０ｄ）への当該管理情報の転送を仲介することを特徴とする請求項１に記載の光終端システム。
【請求項３】
複数のユーザ光終端装置（１８ａ−１〜１８ａ−ｎ）に光伝送路（１４ａ，１６ａ）を介して通信する現用光終端ユニット（１１０ａ）と、
予備光終端ユニット（１１０ｄ）と、
当該現用光終端ユニット（１１０ａ）の当該光伝送路に向け出力する光信号パワーをモニタする光パワーモニタ（２６）と、
当該現用光終端ユニットからの異常発生の警告及び当該光パワーモニタ（２６）のモニタ結果の何れかに従い、当該現用光終端ユニット（１１０ａ）から当該予備光終端ユニット（１１０ｄ）への切り替えを制御する制御装置であって、当該現用光終端ユニットと通信する当該複数のユーザ光終端装置の管理情報を記憶する管理情報記憶装置（１１３ａ）を具備し、当該現用光終端ユニット（１１０ａ）から当該予備光終端ユニット（１１０ｄ）への切り替えに伴い、当該管理情報記憶装置（１１３ａ）へのアクセスを当該現用光終端ユニット（１１０ａ）から当該予備光終端ユニット（１１０ｄ）に切り替える制御装置（１１２）と、
当該制御装置（１１２）により制御されて、当該予備光終端ユニット（１１０ｄ）の光入出力ポートを当該光伝送路に選択的に接続する第１スイッチ（２０）であって、当該予備光終端ユニット（１１０ｄ）の待機時に接続して当該予備光終端ユニット（１１０ｄ）の信号光出力を無反射終端する接点（２２ｄ）を具備する第１スイッチ
とを具備し、
当該予備光終端ユニット（１１０ｄ）は電源投入状態で待機する
ことを特徴とする光終端システム。
【請求項４】
更に、当該制御装置（１２，１１２）により制御されて、当該現用光終端ユニット（１０ａ，１１０ａ）の上流ネットワークに当該予備光終端ユニット（１０ｄ，１１０ｄ）の上流側入出力ポートを選択的に接続する第２スイッチ（３０）を具備することを特徴とする請求項１乃至３の何れか１項に記載の光終端システム。
【発明の詳細な説明】
【技術分野】
【０００１】
本発明は、光伝送システムの冗長構成を有する光終端システムに関する。
【背景技術】
【０００２】
ＰＯＮ（Passive Optical Network）システムは、センター局に配置される光終端装置ＯＬＴ（Optical Line Terminal）と複数のユーザ宅の光終端装置ＯＮＵ（Optical Network Unit）とを、光ファイバ及び光スプリッタからなる受動光素子を介して接続する光伝送システムである（例えば、特許文献１）。
【０００３】
ＰＯＮシステムは、インターネットのアクセス回線として普及するに留まらず、放送、データ通信及びデータを複合的に提供するシステムとして利用されつつある。
【特許文献１】特開２００５−１７５５９９公報
【発明の開示】
【発明が解決しようとする課題】
【０００４】
放送や電話にも利用する場合、ネットワーク機器の故障による接続断は可能な限り避けなければならない。ＯＬＴの交換は、配下の全ユーザへのサービスの一時停止に繋がる。
【０００５】
本発明は、冗長構成により耐障害性能を高めた光終端システムを提示することを目的とする。
【課題を解決するための手段】
【０００６】
本発明に係る光終端システムは、複数のユーザ光終端装置に光伝送路を介して通信する現用光終端ユニットであって、当該複数のユーザ光終端装置の管理情報を記憶する管理情報記憶装置を具備する現用光終端ユニットと、当該現用光終端ユニットから転送される当該管理情報を記憶可能な記憶装置を具備する予備光終端ユニットと、当該現用光終端ユニットの当該光伝送路に向け出力する光信号パワーをモニタする光パワーモニタと、当該現用光終端ユニットからの異常発生の警告及び当該光パワーモニタのモニタ結果の何れかに従い、当該現用光終端ユニットから当該予備光終端ユニットへの切り替えを制御する制御装置であって、当該現用光終端ユニットの障害発生時を含む所定のタイミングで、当該管理情報記憶装置に記憶される当該管理情報を当該予備光終端ユニットの当該記憶装置に転送する制御手段と、当該制御装置により制御されて、当該予備光終端ユニットの光入出力ポートを当該光伝送路に選択的に接続する第１スイッチであって、当該予備光終端ユニットの待機時に接続して当該予備光終端ユニットの信号光出力を無反射終端する接点を具備する第１スイッチとを具備し、当該予備光終端ユニットは電源投入状態で待機することを特徴とする。
【０００７】
本発明に係る光終端システムはまた、複数のユーザ光終端装置に光伝送路を介して通信する現用光終端ユニットと、予備光終端ユニットと、当該現用光終端ユニットの当該光伝送路に向け出力する光信号パワーをモニタする光パワーモニタと、当該現用光終端ユニットからの異常発生の警告及び当該光パワーモニタのモニタ結果の何れかに従い、当該現用光終端ユニットから当該予備光終端ユニットへの切り替えを制御する制御装置であって、当該現用光終端ユニットと通信する当該複数のユーザ光終端装置の管理情報を記憶する管理情報記憶装置を具備し、当該現用光終端ユニットから当該予備光終端ユニットへの切り替えに伴い、当該管理情報記憶装置へのアクセスを当該現用光終端ユニットから当該予備光終端ユニットに切り替える制御装置と、当該制御装置により制御されて、当該予備光終端ユニットの光入出力ポートを当該光伝送路に選択的に接続する第１スイッチであって、当該予備光終端ユニットの待機時に接続して当該予備光終端ユニットの信号光出力を無反射終端する接点を具備する第１スイッチとを具備し、当該予備光終端ユニットは電源投入状態で待機することを特徴とする。
【発明の効果】
【０００９】
本発明によれば、現用機から予備機への切り替えを迅速に行える。予備機が、現用機の保有する管理情報を利用できるので、移行に伴う空白期間を短縮できる。
【発明を実施するための最良の形態】
【００１０】
以下、図面を参照して、本発明の実施例を詳細に説明する。
【実施例１】
【００１１】
図１は、本発明の一実施例の概略構成ブロック図を示す。本実施例では、現用の３つのＯＬＴ１０ａ，１０ｂ，１０ｃと、予備の１つのＯＬＴ１０ｄと、ＯＬＴ１０ａ，１０ｂ又は１０ｃの故障時にＯＬＴ１０ｄに切り替える制御装置１２が、同一の架の異なるスロットに収容されている。ＯＬＴ１０ａ，１０ｂ，１０ｃ，１０ｄは、特許請求の範囲にいう光終端ユニットに対応する。制御装置１２は、障害の発生した何れかのＯＬＴ１０ａ，１０ｂ，１０ｃから予備のＯＬＴ１０ｄに管理情報を転送するために一時的に、管理情報を記憶する記憶装置１３を具備する。
【００１２】
ＯＬＴ１０ａの光入出力ポートは、光ファイバ１４ａ及び光カップラ１６ａからなる第１のＰＯＮ伝送路を介して複数のＯＮＵ１８ａ−１〜１８ａ−ｎに接続する。同様に、ＯＬＴ１０ｂの光入出力ポートは、光ファイバ１４ｂ及び光カップラ１６ｂからなる第２のＰＯＮ伝送路を介して複数のＯＮＵ１８ｂ−１〜１８ｂ−ｎに接続する。ＯＬＴ１０ｃの光入出力ポートは、光ファイバ１４ｃ及び光カップラ１６ｃからなる第３のＰＯＮ伝送路を介して複数のＯＮＵ１８ｃ−１〜１８ｃ−ｎに接続する。本実施例では、３つのＰＯＮシステムが１つのセンター局に収容されている。３つのＰＯＮシステムのそれぞれに収容されるユーザ数（ＯＮＵ数）を等しくｎとしたが、これは、ＰＯＮシステム上の収容可能ユーザ値が等しいことを示すものであり、一般的には、現実のユーザ数は互いに異なる。
【００１３】
予備ＯＬＴ１０ｄの光入出力ポートは、光ファイバ１４ｄを介して光スイッチ２０の光セレクタ２２の共通接点に接続する。光スイッチ２０の光セレクタ２２は、選択可能な接点２２ａ〜２２ｄを具備する。接点２２ａは、光ファイバ１４ａ上の光カップラ２４ａに接続し、接点２２ｂは、光ファイバ１４ｂ上の光カップラ２４ｂに接続し、接点２２ｃは、光ファイバ１４ｃ上の光カップラ２４ｃに接続する。光カップラ２４ａは、ＯＬＴ１０ａの光入出力ポートから出力された信号光、及び、光セレクタ２２の接点２２ａからの信号光を光カップラ１６ａに供給し、且つ、光カップラ１６ａからの信号光を２分割し、一方をＯＬＴ１０ａの光入出力ポートに供給し、他方を光セレクタ２２の接点２２ａに供給する光素子である。光カップラ２４ｂ，２４ｃも、光カップラ２４ａと同様の光素子からなる。
【００１４】
接点２２ｄは、無反射終端されている。光セレクタ２２は、ＯＬＴ１０ｄを待機させているときに接点２２ｄに接続する。これにより、予備状態のＯＬＴ１０ｄを信号光出力状態にしておいても、その信号光が、何れかのＰＯＮ伝送路に流れ込まないようにできる。即ち、ＯＬＴ１０ｄを電源投入状態で待機させることができる。
【００１５】
光パワーモニタ２６は、ＯＬＴ１０ａ〜１０ｄの光入出力ポートから出力される下り信号光の光パワーをモニタし、その結果を制御装置１２に通知する。ＯＬＴ１０ａ〜１０ｄの光入出力ポートから出力される信号光をモニタするために、光ファイバ１４ａ〜１４ｄ上に、それぞれ光分波器２８ａ〜２８ｄを配置してあり、光分波器２８ａ〜２８ｄで分波された下り信号光が、光パワーモニタ２６に入力する。
【００１６】
ＯＬＴ１０ａ〜１０ｄの上流側には、ＯＬＴ１０ａ〜１０ｃの何れか１つの障害時に、障害のあるＯＬＴから予備のＯＬＴ１０ｄに切り替える電気スイッチ３０が配置される。電気スイッチ３０は、具体的には、上位ネットワークをＯＬＴ１０ａ又はＯＬＴ１０ｄの電気入出力ポートに選択的に接続するスイッチ３０ａと、上位ネットワークをＯＬＴ１０ｂ又はＯＬＴ１０ｄの電気入出力ポートに選択的に接続するスイッチ３０ｂと、上位ネットワークをＯＬＴ１０ｃ又はＯＬＴ１０ｄの電気入出力ポートに選択的に接続するスイッチ３０ｃとからなる。
【００１７】
スイッチ３０ａは、通常時には、上位ネットワークとＯＬＴ１０ａの電気入出力ポートとを接続し、ＯＬＴ１０ａの障害時には、上位ネットワークとＯＬＴ１０ｄの電気入出力ポートとを接続する。同様に、スイッチ３０ｂは、通常時には、上位ネットワークとＯＬＴ１０ｂの電気入出力ポートとを接続し、ＯＬＴ１０ｂの障害時には、上位ネットワークとＯＬＴ１０ｄの電気入出力ポートとを接続する。スイッチ３０ｃは、通常時には、上位ネットワークとＯＬＴ１０ｃの電気入出力ポートとを接続し、ＯＬＴ１０ｃの障害時には、上位ネットワークとＯＬＴ１０ｄの電気入出力ポートとを接続する。
【００１８】
ＯＬＴ１０ａの構成を説明する。ネットワークインターフェース４０は、上位ネットワークからの信号を多重分離装置４２に供給する。多重分離装置４２は、ネットワークインターフェース４０からの信号の内、配下のＯＮＵ１８ａ−１〜１８ａ−ｎ又は更にその配下の装置に宛てた信号を電気／光変換器４４に供給し、ＯＬＴ１０ａ自身に宛てた信号をＣＰＵ４６に供給する。ＣＰＵ４６はまた、配下のＯＮＵ１８ａ−１〜１８ａ−ｎに宛てた信号（例えば、ＯＮＵ１８ａ−１〜１８ａ−ｎを管理するための制御信号等）を多重分離装置４２に供給し、多重分離装置４２は、これらの信号もまた電気／光変換器４４に供給する。多重分離装置４２は、ネットワークインターフェース４０からの信号のデータフレーム構造を、ＰＯＮシステムのためのデータフレーム構造に変換する機能を具備する。
【００１９】
電気／光変換器４４は、多重分離装置４２からの電気信号を光信号に変換する。電気／光変換器４４から出力される光信号は、ＷＤＭ光カップラ４８を介して光ファイバ１４ａに出力され、光カップラ１６ａを介してＯＮＵ１８ａ−１〜１８ａ−ｎに入射する。
【００２０】
また、各ＯＮＵ１８ａ−１〜１８ａ−ｎから出力される光信号は、光カップラ１６ａ及び光ファイバ１４ａを介してＷＤＭ光カップラ４８に入射する。ＷＤＭ光カップラ４８は、光ファイバ１４ａから入射する光信号を光／電気変換器５０に供給する。光／電気変換器５０はＷＤＭ光カップラ４８からの光信号を電気信号に変換する。光／電気変換器４８から出力される電気信号は、多重分離装置５２に入力する。多重分離装置５２は、光／電気変換器５０からの信号の内、ＯＬＴ１０ａ自身に宛てた信号（例えば、ロジカルリンクの登録を要求する信号など）をＣＰＵ４６に供給する。ＣＰＵ４６はまた、上位ネットワークの機器に宛てた信号を多重分離装置５２に出力する。多重分離装置５２は、光／電気変換器５０からの信号の内、上位ネットワークに送出すべき信号と、ＣＰＵ４６からの信号を、上位ネットワークでのデータ伝送に摘記したデータフレーム構造でネットワークインターフェース４０に供給する。ネットワークインターフェース４０は、多重分離装置５２からの信号を、スイッチ３０ａを介して上位ネットワークに送出する。
【００２１】
ＣＰＵ４６は、起動時に、配下のＯＮＵ１８ａ−１〜１８ａ−ｎと情報をやり取り行い、種々の管理情報（具体的には、ＯＮＵの種別（メーカ及びファームウエア等）といった情報）と設定情報（例えば、各ＯＮＵ１８ａ−１〜１８ａ−ｎの各サービスに割り当てるロジカルリンクの情報等）をＲＡＭ５４に格納する。本明細書では、管理情報と設定情報をまとめて、管理情報と称する。ＣＰＵ４６はまた、新たに電源がオンになったＯＮＵに対して、ＲＡＭ５４の管理情報を更新する。ＣＰＵ４６はまた、ＯＬＴ１０ａの動作状況をモニタしており、異常発生時にその旨を制御装置１２に通知する機能を具備する。
【００２２】
ＯＬＴ１０ｂ，１０ｃ，１０ｄもまた、ＯＬＴ１０ａと同じ構成及び機能を具備する。
【００２３】
制御装置１２は、ＯＬＴ１０ａ，１０ｂ，１０ｃからの警告、又は光パワーモニタ２６からの通知に従い、障害の発生した何れかのＯＬＴ１０ａ〜１０ｃを予備のＯＬＴ１０ｄに切り替える。オペレータからの切り替え指示により、何れかのＯＬＴ１０ａ，１０ｂ，１０ｃを予備のＯＬＴ１０ｄに切り替えることもある。光パワーモニタ２６は、各ＯＬＴ１０ａ〜１０ｄから出力される下り信号光のパワーをモニタしているので、光パワーの一定以上の低下や、既定値以上の光パワーといった障害の発生を検知でき、障害の発生したＯＬＴを制御装置１２に通知する。
【００２４】
図２は、制御装置１２のＯＬＴ切り替えのフローチャートを示す。例えば、ＯＬＴ１０ａで障害が発生したとする。制御装置１２は、ＯＬＴ１０ａからの警告、又は、光パワーモニタ２６からの通知に従い、ＯＬＴ１０ａの障害発生を検出すると（Ｓ１）、ＯＬＴ１０ａにＲＡＭ５４に保存されている管理情報の転送を要求する（Ｓ２）。制御装置１２は、ＯＬＴ１０ａからの管理情報を記憶装置１３に格納する。
【００２５】
ＯＬＴ１０ａからの全管理情報の受信に成功すると（Ｓ３）、制御装置１２は、光スイッチ２０及び電気スイッチ３０を、ＯＬＴ１０ａから予備のＯＬＴ１０ｄに切り替える（Ｓ４）。制御装置１２は、記憶装置１３に格納したＯＬＴ１０ａからの管理情報を予備のＯＬＴ１０ｄに転送し（Ｓ５）、引き継ぎをＯＬＴ１０ｄに指示する（Ｓ６）。予備のＯＬＴ１０ｄのＣＰＵ４６は、制御装置１２からの管理情報をＲＡＭ５４に格納し、この管理情報を使って、ＯＮＵ１８ａ−１〜１８ａ−ｎの管理と、ＯＮＵ１８ａ−１〜１８ａ−ｎと上位ネットワーク間の通信の仲介を引き継ぐ。
【００２６】
制御装置１２は、ＯＬＴ１０ｄの正常動作を確認して、ＯＬＴ１０ａに停止を指示する（Ｓ７）。これは、ＯＬＴ１０ａが、正常に動作しない場合、例えば、光信号を出し続ける障害に備えての処置である。停止の指示は、電源オフの指示を含む。
【００２７】
ＯＬＴ１０ａからの全管理情報の受信に成功しない場合（Ｓ３）、制御装置１２は、光スイッチ２０及び電気スイッチ３０を、ＯＬＴ１０ａから予備のＯＬＴ１０ｄに切り替える（Ｓ８）。そして、制御装置１２は、予備のＯＬＴ１０ｄにＯＮＵ１８ａ−１〜１８ａ−ｎの管理の開始を指示する（Ｓ９）。この指示に応じて、ＯＬＴ１０ｄは、電源オン時と同様に、ＯＮＵ１８ａ−１〜１８ａ−ｎを探索する初期プロセスから開始する（Ｓ９）。このプロセスでは、ＯＬＴのリブートと同程度の時間がかかる。この後、制御装置１２は、ＯＬＴ１０ｄの正常動作を確認して、ＯＬＴ１０ａに停止を指示する（Ｓ７）。
【００２８】
このように、本実施例では、障害発生時に迅速に予備のＯＬＴに切り替えることができる。従前の切り替えでは、予備のＯＬＴは、配下のＯＮＵを探索するプロセスから開始するので、ＯＬＴの切り替えに長い空白期間、即ち、通信不能期間が発生した。しかし、本実施例では、早めに切り替える場合、予備のＯＬＴは、障害の発生したＯＬＴの管理情報を引継ぐので、ＯＬＴの切り替えに伴う空白時間を大幅に短縮できる。
【００２９】
１台の現用ＯＬＴに対して１台の予備ＯＬＴを設ける場合、予備への切り替え前には、ＯＬＴ１０ｄの上流側及び下流側への出力を禁止し、切り替え後には、障害の発生したＯＬＴの上流側及び下流側への出力を禁止することで、光スイッチ２０及び電気スイッチ３０に相当する手段を省略できる。
【００３０】
また、１台の現用ＯＬＴに対して１台の予備ＯＬＴを設ける場合、現用ＯＬＴが保有する管理情報を予め、継続的に又は管理情報の変更時に、直接又は制御装置１２を介して、予備のＯＬＴに転送しておいてもよい。こうすることにより、障害発生時に管理情報を転送する手間を省ける。
【００３１】
更には、複数の現用ＯＬＴ１０ａ〜１０ｃに対して１台の予備ＯＬＴ１０ｄを設ける場合、各現用ＯＬＴが保有する管理情報を、継続的に又は管理情報の変更時に制御装置１２にバックアップしておき、障害発生時に、制御装置１２から予備ＯＬＴ１０ｄに転送してもよい。こうすることにより、現用ＯＬＴが、管理情報を制御装置１２又は予備ＯＬＴ１０ｄに転送する間も無く機能停止するような場合にも、管理情報を利用できる。
【実施例２】
【００３２】
図３は、本発明の第２実施例の概略構成ブロック図を示す。図１に示す実施例と同じ構成要素には同じ符号を付してある。
【００３３】
本実施例では、現用される各ＯＬＴの管理情報を記憶する制御装置の共有メモリに格納し、障害時には、障害の発生したＯＬＴの管理情報の記憶領域を予備のＯＬＴに割り当てるようにした。これにより、管理情報を、障害の発生したＯＬＴから予備のＯＬＴに転送する手間を省略できる。また、障害が管理情報を送信できないようなものの場合にも、管理情報を活用した引継が可能になる。
【００３４】
図１に示す実施例からの変更部分の動作を説明する。ＯＬＴ１１０ａ，１１０ｂ，１１０ｃが現用されており、ＯＬＴ１１０ｄは予備である。制御装置１１２は、各ＯＬＴ１１０ａ，１１０ｂ，１１０ｃの管理情報を記憶する記憶装置１１３を具備する。即ち、記憶装置１１３の記憶領域１１３ａにＯＬＴ１１０ａの管理情報が格納され、記憶装置１１３の記憶領域１１３ｂにＯＬＴ１１０ｂの管理情報が格納され、記憶装置１１３の記憶領域１１３ｃにＯＬＴ１１０ｃの管理情報が格納される。
【００３５】
ＯＬＴ１１０ａ，１１０ｂ，１１０ｃのＣＰＵ１４６は、ＣＰＵ４６が管理情報をＲＡＭ５４に格納するのと同様に、管理情報を制御装置１１２の記憶領域１１３ａ，１１３ｂ，１１３ｃにそれぞれ格納する。ＣＰＵ１４６は、制御装置１１２の記憶装置１１３に格納される管理情報を使って、配下のＯＮＵ１８ａ−１〜１８ａ−ｎ；１８ｂ−１〜１８ｂ−ｎ；１８ｃ−１〜１８ｃ−ｎを管理し、その通信を制御する。
【００３６】
障害発生時の動作を説明する。例えば、ＯＬＴ１１０ａで障害が発生したとする。制御装置１１２は、ＯＬＴ１１０ａからの警告、又は、光パワーモニタ２６からの通知に従い、ＯＬＴ１１０ａの障害発生を検出する。制御装置１１２は、障害検出に従い、光スイッチ２０及び電気スイッチ３０を、ＯＬＴ１１０ａから予備のＯＬＴ１１０ｄに切り替えると共に、予備のＯＬＴ１１０ｄのＣＰＵ１４６に記憶領域１１３ａへのアクセスを許可する。これにより、図２に示すフローチャートのステップＳ２−Ｓ５に相当する処理が実行されたことになる。そして、制御装置１１２は、記憶装置１１３の記憶領域１１３ａに格納される管理情報を使った引き継ぎを予備のＯＬＴ１１０ｄに指示する。予備のＯＬＴ１１０ｄのＣＰＵ１４６は、制御装置１１２からの引き継ぎ指示に従い、記憶領域１１３ａの管理情報を使って、ＯＮＵ１８ａ−１〜１８ａ−ｎの管理と、ＯＮＵ１８ａ−１〜１８ａ−ｎと上位ネットワーク間の通信の仲介を引き継ぐ。
【００３７】
制御装置１１２は、ＯＬＴ１１０ｄの正常動作を確認して、ＯＬＴ１１０ａに停止を指示する。これは、ＯＬＴ１１０ａが正常に動作しえない場合に備えての処置である。停止の指示は、電源オフの指示を含む。
【００３８】
本実施例では、管理情報を共有メモリに格納し、障害時には、共有メモリへのアクセスを切り替えるだけで良い。即ち、管理情報を、障害の発生したＯＬＴから予備のＯＬＴに転送する手間を省ける。これにより、第１実施例よりも迅速に、管理を引継ぐことができ、空白期間を更に短縮できる。
【実施例３】
【００３９】
図４は本発明の第３実施例の概略構成ブロック図を示す。この実施例では、１つのＯＬＴユニットが、４つのＰＯＮシステムを収容可能である。
【００４０】
近年、光部品の信頼性が格段に向上し、光部品よりも電気部品の方が故障しやすい。そこで、本実施例では、ＯＬＴの電気部品部分を予備部品でバックアップ可能にした。
【００４１】
現用されるＯＬＴ電気ユニット２１０ａに対して、同じ構成の予備となるＯＬＴ電気ユニット２１０ｂと、ＯＬＴ電気ユニット２１０ａの障害に対して予備のＯＬＴ電気ユニット２１０ｂに切り替える制御装置２１２を設ける。
【００４２】
スイッチ２１４は、常時は、ＯＬＴ電気ユニット２１０ａの下流側入出力ポート（４チャネル）を選択し、ＯＬＴ電気ユニット２１０ａの障害時には、ＯＬＴ電気ユニット２１０ｂの下流側入出力ポート（４チャネル）を選択する電気スイッチであり、選択された入出力ポートの各チャネルを並列の４つの光送受信装置２１６ａ，２１６ｂ，２１６ｃ，２１６ｄに接続する。各光送受信装置２１６ａ，２１６ｂ，２１６ｃ，２１６ｄは、図１に示す実施例の電気／光変換器４４，ＷＤＭ光カップラ４８及び光／電気変換器５０に相当する光素子からなる。
【００４３】
光送受信装置２１６ａの光入出力ポートは、光ファイバ２１８ａ及び光カップラ２２０ａからなる第１のＰＯＮ伝送路を介して複数のＯＮＵ２２２ａ−１〜２２２ａ−ｎに接続する。同様に、光送受信装置２１６ｂの光入出力ポートは、光ファイバ２１８ｂ及び光カップラ２２０ｂからなる第２のＰＯＮ伝送路を介して複数のＯＮＵ２２２ｂ−１〜２２２ｂ−ｎに接続する。光送受信装置２１６ｃの光入出力ポートは、光ファイバ２１８ｃ及び光カップラ２２０ｃからなる第３のＰＯＮ伝送路を介して複数のＯＮＵ２２２ｃ−１〜２２２ｃ−ｎに接続する。光送受信装置２１６ｄの光入出力ポートは、光ファイバ２１８ｄ及び光カップラ２２０ｄからなる第４のＰＯＮ伝送路を介して複数のＯＮＵ２２２ｄ−１〜２２２ｄ−ｎに接続する。
【００４４】
４つのＰＯＮシステムのそれぞれに収容されるユーザ数（ＯＮＵ数）を等しくｎとしたが、これが、ＰＯＮシステム上の収容可能ユーザ値が等しいことを示すものであり、一般的にいって、現実のユーザ数は互いに異なる。
【００４５】
ＯＬＴ電気ユニット２１０ａ，２１０ｂと上位ネットワークとの間には、ＯＬＴ電気ユニット２１０ａ又は同２１０ｂを選択するスイッチ２２４が配置される。即ち、スイッチ２２４は、通常時には、上位ネットワークをＯＬＴ電気ユニット２１０ａに接続し、ＯＬＴ電気ユニット２１０ａの障害時には、上位ネットワークを予備のＯＬＴ電気ユニット２１０ｂに接続する。制御装置２１２が、スイッチ２１４に連動して、スイッチ２２４を制御する。
【００４６】
予備のＯＬＴ電気ユニット２１０ｂが、待機時に電気信号を出力せず、且つ、障害発生時に、ＯＬＴ電気ユニット２１０ａが電気信号を出力しない場合、スイッチ２１４，２２４はＯＬＴ電気ユニット２１０ａ，２１０ｂの両方に電気的に接続する端子であってもよいことは明らかである。例えば、制御装置１１２が、ＯＬＴ電気ユニット２１０ａを使用中には、予備のＯＬＴ電気ユニット２１０ｂに出力を禁止し、予備のＯＬＴ電気ユニット２１０ｂへの切り替え後には、ＯＬＴ電気ユニット２１０ａに出力を禁止する。
【００４７】
上位ネットワークからの信号は、スイッチ２２４を介してＯＬＴ電気ユニット２１０ａのネットワークインターフェース２３０ａに入力する。ネットワークインターフェース２３０ａは、上位ネットワークからの信号を多重分離装置２３２ａに供給する。多重分離装置２３２ａは、ネットワークインターフェース２３０ａからの信号の内、配下のＯＮＵ２２２（２２２ａ−１〜２２２ａ−ｎ；２２２ｂ−１〜２２２ｂ−ｎ；２２２ｃ−１〜２２２ｃ−ｎ；２２２ｄ−１〜２２２ｄ−ｎ）又は更にその配下の装置に宛てた信号をスイッチ２１４に供給し、ＯＬＴ２１０ａ自身に宛てた信号をＣＰＵ２３４ａに供給する。ＣＰＵ２３４ａは、配下のＯＮＵ２２２に宛てた信号（例えば、ＯＮＵ２２２を管理するための制御信号等）を多重分離装置２３２ａに供給し、多重分離装置２３２ａは、これらの信号もまた、対応するチャネルでスイッチ２１４に供給する。多重分離装置２３２ａは、ネットワークインターフェース２３０ａからの信号のデータフレーム構造を、ＰＯＮシステムのためのデータフレーム構造に変換する機能を具備する。
【００４８】
スイッチ２１４は、ＯＬＴ電気ユニット２１０ａからの電気信号を光送受信装置２１６ａ〜２１６ｄに供給する。各光電気送受信装置２１６ａ〜２１６ｄは、スイッチ２１４からの電気信号を光信号に変換して、光ファイバ２１８ａ〜２１８ｄに出力する。光ファイバ２１８ａ〜２１８ｄを伝搬した光信号は、光カップラ２２０ａ〜２２０ｄを介してＯＮＵ２２２に入力する。
【００４９】
また、各ＯＮＵ２２２から出力される光信号は、光カップラ２２０ａ〜２２０ｄ及び光ファイバ２１８ａ〜２１８ｄを介して光送受信装置２１６ａ〜２１６ｄに入射する。各光送受信装置２１６ａ〜２１６ｄは、光ファイバ２１８ａ〜２１８ｄから入射する光信号を電気信号に変換し、この電気信号は、スイッチ２１４を介してＯＬＴ電気ユニット２１０ａの多重分離装置２３２ａに入力する。
【００５０】
多重分離装置２３２ａは、光送受信装置２１６ａ〜２１６ｄからの信号の内、ＯＬＴ２１０ａ自身に宛てた信号（例えば、ロジカルリンクの登録を要求する信号など）をＣＰＵ２３４ａに供給する。ＣＰＵ２３４ａは、上位ネットワークの機器に宛てた信号を多重分離装置２３２ａに出力する。多重分離装置２３２ａは、光送受信装置２１６ａ〜２１６ｄからの信号の内、上位ネットワークに送出すべき信号と、ＣＰＵ２３４ａからの信号を、上位ネットワークでのデータ伝送に摘記したデータフレーム構造でネットワークインターフェース２３０ａに供給する。ネットワークインターフェース２３０ａは、多重分離装置２３２ａからの信号を、スイッチ２２４を介して上位ネットワークに送出する。
【００５１】
ＣＰＵ２３４ａは、ＣＰＵ４６と同様に、起動時に、配下のＯＮＵ２２２と情報をやり取り行い、種々の管理情報をＲＡＭ２３６ａに格納する。ＣＰＵ２３４ａはまた、新たに電源がオンになった配下のＯＮＵに対して、ＲＡＭ２３６ａの管理情報を更新する。ＣＰＵ２３４ａはまた、ＯＬＴ２１０ａの動作状況をモニタしており、異常発生時にその旨を制御装置１２に通知する機能を具備する。
【００５２】
ＯＬＴ電気ユニット２１０ｂは、ＯＬＴ電気ユニット２１０ａと対応する要素と同様の機能の、ネットワークインターフェース２３０ｂ，多重分離装置２３２ｂ，ＣＰＵ２３４ｂ及びＲＡＭ２３６ｂを具備する。
【００５３】
本実施例では、現用のＯＬＴ電気ユニット２１０ａは、管理情報をＲＡＭ２３６ａに格納又は変更する都度、その管理情報を制御装置２１２に転送する。制御装置２１２は、ＯＬＴ電気ユニット２１０ａから送られる管理情報をＯＬＴ電気ユニット２１０ｂのＣＰＵ２３４ｂに送信する。ＯＬＴ電気ユニット２１０ｂのＣＰＵ２３４ｂは、制御装置２１２からの管理情報をＲＡＭ２３６ｂに格納する。このようにして、現用されているＯＬＴ電気ユニット２１０ａの管理情報のコピーが、随時、予備のＯＬＴ電気ユニット２１０ｂのＲＡＭ２３６ｂに格納される。これにより、予備のＯＬＴ電気ユニット２１０ｂは、現用されているＯＬＴ電気ユニット２１０ａに障害が発生しても、初期プロセス無しで動作を引き継ぐことが可能になる。
【００５４】
制御装置２１２は、ＯＬＴ２１０ａからの障害発生の警告又は通知に従い、スイッチ２１４，２２４をＯＬＴ電気ユニット２１０ａから予備のＯＬＴ電気ユニット２１０ｂに切り替える。同時に、制御装置２１２は、ＯＬＴ電気ユニット２１０ｂに管理と通信の中継の引継ぎを指示し、ＯＬＴ電気ユニット２１０ａには停止又は電源オフを指示する。引継ぎの指示に従い、ＯＬＴ電気ユニット２１０ｂは、自身のＲＡＭ２３６ｂに格納される管理情報を使って、ＯＮＵ２２２の管理と、ＯＮＵ２２２と上位ネットワーク間の通信の中継を引き継ぐ。ＯＬＴ電気ユニット２１０ａは、制御装置２１２からの停止指示に従い、電源オフする。
【００５５】
このように、本実施例では、管理・設定情報を予め予備機にミラーしているので、障害発生時に、予備機による初期プロセスを省略でき、切り替えに伴う空白期間を短縮できる。
【００５６】
ＯＬＴ電気ユニット２１０１，２１０ｂ及び制御装置２１２間は、これらに共有されるバスで接続しても、個別の信号線で接続しても、どちらでもよい。共通バスは、配線が容易になり、ＣＰＵ２３４ａ，２３４ｂ及び制御装置２１２の通信機能を共通化しやすいという利点がある。
【００５７】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００５８】
【図１】本発明の第１実施例の概略構成ブロック図である。
【図２】第１実施例の制御フローチャートである。
【図３】本発明の第２実施例の概略構成ブロック図である。
【図４】本発明の第３実施例の概略構成ブロック図である。
【符号の説明】
【００５９】
１０ａ，１０ｂ，１０ｃ：ＯＬＴ
１０ｄ：予備のＯＬＴ
１２：制御装置
１３：記憶装置
１４ａ〜１４ｄ：光ファイバ
１６ａ〜１６ｃ：光カップラ
１８ａ−１〜１８ａ−ｎ：ＯＮＵ
１８ｂ−１〜１８ｂ−ｎ：ＯＮＵ
１８ｃ−１〜１８ｃ−ｎ：ＯＮＵ
２０：光スイッチ
２２：光セレクタ
２２ａ〜２２ｄ：選択可能な接点
２４ａ〜２４ｃ：光カップラ
２６：光パワーモニタ
２８ａ〜２８ｄ：光分波器
３０：電気スイッチ
３０ａ，３９ｂ，３９ｃ：スイッチ
４０：ネットワークインターフェース
４２：多重分離装置
４４：電気／光変換器
４６：ＣＰＵ
４８：ＷＤＭ光カップラ
５０：光／電気変換器
５２：多重分離装置
５４：ＲＡＭ
１１０ａ，１１０ｂ，１１０ｃ：現用ＯＬＴ
１１０ｄ：予備ＯＬＴ
１１２：制御装置
１１３：記憶装置
１１３ａ，１１３ｂ，１１３ｃ：記憶領域
１４６：ＣＰＵ
２１０ａ，２１０ｂ：ＯＬＴ電気ユニット
２１２：制御装置
２１４：スイッチ
２１６ａ，２１６ｂ，２１６ｃ，２１６ｄ：光送受信装置
２１８ａ，２１８ｂ，２１８ｃ，２１８ｄ：光ファイバ
２２０ａ，２２０ｂ，２２０ｃ，２２０ｄ：光カップラ
２２２（２２２ａ−１〜ｎ，２２２ｂ−１〜ｎ，２２２ｃ−１〜ｎ，２２２ｄ−１〜ｎ）：ＯＮＵ
２２４：スイッチ
２３０ａ，２３０ｂ：ネットワークインターフェース
２３２ａ，２３２ｂ：多重分離装置
２３４ａ，２３４ｂ：ＣＰＵ
２３６ａ，２３６ｂ：ＲＡＭ
【図１】
0004696759.tif 000002
【図２】
0004696759.tif 000003
【図３】
0004696759.tif 000004
【図４】
0004696759.tif 000005